(57)【要約】【課題】  動画像の撮像中に静止画像を取得する際の静止画像の撮像タイミングの遅延を抑制することができる。【解決手段】  撮像装置は、被写体の像を撮像する撮像素子と、算出部と、補正部と、制御部とを備える。算出部は、撮像素子の動作条件に応じた固定パターンノイズの成分を示す補正値を算出する。補正部は、補正値を用いて撮像素子で撮像された画像から固定パターンノイズの成分を除去する。制御部は、撮像素子に動画像または静止画像を撮像させるとともに、動作条件の変化があるときに算出部に補正値を算出させる。また、制御部は、被写体の状況に応じて、静止画像の動作条件に対応する第１の補正値および動画像の撮像時に使用された第２の補正値のいずれかを用いて補正部に静止画像から固定パターンノイズの成分を除去させる。【選択図】  図１
2015050539.tif 000002
【特許請求の範囲】
【請求項１】
被写体の像を撮像する撮像素子と、
前記撮像素子の動作条件に応じた固定パターンノイズの成分を示す補正値を算出する算出部と、
前記補正値を用いて前記撮像素子で撮像された画像から前記固定パターンノイズの成分を除去する補正部と、
前記撮像素子に動画像または静止画像を撮像させるとともに、前記動作条件の変化があるときに前記算出部に前記補正値を算出させる制御部と、を備え、
前記制御部は、前記被写体の状況に応じて、前記静止画像の動作条件に対応する第１の補正値および前記動画像の撮像時に使用された第２の補正値のいずれかを用いて前記補正部に前記静止画像から前記固定パターンノイズの成分を除去させる
ことを特徴とする撮像装置。
【請求項２】
請求項１に記載の撮像装置において、
前記制御部は、前記動画像の撮像中に前記静止画像の取得が指示され、かつ前記動画像と前記静止画像とで前記動作条件が異なるときに、前記被写体の状況に応じて、前記静止画像の動作条件に対応する第１の補正値の算出動作を行わずに、前記動画像の撮像時に使用された第２の補正値を用いて前記補正部に前記静止画像から前記固定パターンノイズの成分を除去させる
ことを特徴とする撮像装置。
【請求項３】
請求項２に記載の撮像装置において、
前記被写体の動きを検出する動き検出部をさらに備え、
前記制御部は、前記動き検出部が前記被写体の動きを検出したときに、前記静止画像の動作条件に対応する第１の補正値の算出動作を行わずに、前記動画像の撮像時に使用された第２の補正値を用いて、前記補正部に前記静止画像から前記固定パターンノイズの成分を除去させる
ことを特徴とする撮像装置。
【請求項４】
請求項３に記載の撮像装置において、
前記動作条件は、前記撮像素子の撮像感度を含み、
前記動画像と前記静止画像とで前記撮像感度が異なる値が指示され、前記動き検出部が前記被写体の動きを検出したときに、前記制御部は、前記静止画像の撮像感度を前記動画像の撮像感度と一致させるとともに、前記静止画像を取得するときの撮像条件を調整する
ことを特徴とする撮像装置。
【請求項５】
請求項１に記載の撮像装置において、
前記動作条件は、前記撮像素子の撮像感度または前記撮像素子の温度を含む
ことを特徴とする撮像装置。
【発明の詳細な説明】
【技術分野】
【０００１】
本発明は、撮像装置に関する。
【背景技術】
【０００２】
従来、撮像装置の撮像素子における固定パターンノイズ（ＦＰＮ：Fixed Pattern Noise）を補正する方法として、撮像素子で撮像した画像の信号値からＦＰＮ成分を示すＦＰＮ補正値を減算する方法が知られている（例えば、特許文献１参照）。
【先行技術文献】
【特許文献】
【０００３】
【特許文献１】国際公開第２０１０／００１７４１号
【発明の概要】
【発明が解決しようとする課題】
【０００４】
ところで、撮像装置で動画像の撮像中に静止画像の取得を行う場合には、動画像の撮像時と異なる動作条件で撮像素子に静止画像を撮像させることがある。静止画像の取得時に撮像素子の動作条件を変更する場合、動作条件に応じたＦＰＮの補正値を再取得することが好ましい。しかし、上記の場合にはＦＰＮの補正値の取得による撮像タイミングの遅延（いわゆるレリーズタイムラグ）が生じ、撮影者が意図した状態の被写体を静止画像で撮像できない可能性がある。
【課題を解決するための手段】
【０００５】
一の態様の撮像装置は、被写体の像を撮像する撮像素子と、算出部と、補正部と、制御部とを備える。算出部は、撮像素子の動作条件に応じた固定パターンノイズの成分を示す補正値を算出する。補正部は、補正値を用いて撮像素子で撮像された画像から固定パターンノイズの成分を除去する。制御部は、撮像素子に動画像または静止画像を撮像させるとともに、動作条件の変化があるときに算出部に補正値を算出させる。また、制御部は、被写体の状況に応じて、静止画像の動作条件に対応する第１の補正値および動画像の撮像時に使用された第２の補正値のいずれかを用いて補正部に静止画像から固定パターンノイズの成分を除去させる。
【発明の効果】
【０００６】
本件開示の撮像装置によれば、動画像の撮像中に静止画像を取得する際の静止画像の撮像タイミングの遅延を抑制することができる。
【図面の簡単な説明】
【０００７】
【図１】一の実施形態における電子カメラの構成例を示すブロック図
【図２】一の実施形態における電子カメラの動作例を示すフローチャート
【発明を実施するための形態】
【０００８】
以下、図面を用いて本発明の実施形態について説明する。
【０００９】
＜一の実施形態での構成例の説明＞
図１は、一の実施形態における撮像装置の一例である電子カメラの構成例を示すブロック図である。
【００１０】
電子カメラ１は、撮影レンズ１１と、撮像素子１２と、Ａ／Ｄ変換部１３と、第１メモリ１４と、画像処理部１５と、記録インターフェース（Ｉ／Ｆ）１６と、表示Ｉ／Ｆ１７と、モニタ１８と、操作部１９と、ＣＰＵ（Central Processing Unit）２０と、第２メモリ２１と、温度検出部２２と、システムバス２３とを有している。なお、第１メモリ１４、画像処理部１５、記録Ｉ／Ｆ１６、表示Ｉ／Ｆ１７、およびＣＰＵ２０は、システムバス２３を介して接続されている。また、操作部１９、第２メモリ２１、および温度検出部２２は、ＣＰＵ２０と接続されている。
【００１１】
撮影レンズ１１は、撮像素子１２の撮像面に被写体の像を結像する。なお、撮像レンズ１１は、ズームレンズと、合焦位置調節用のフォーカスレンズとを含む複数のレンズ群で構成されている。
【００１２】
撮像素子１２は、撮影レンズ１１を通過した光束を光電変換して被写体の像を撮像（撮影）する。本実施形態の撮像素子１２は、例えば、ＣＭＯＳ（Complementary Metal-Oxide Semiconductor）イメージセンサである。
【００１３】
ここで、撮像素子１２は、操作部１９からの指示に応じて、不揮発性の記録媒体（３０）への記録を伴う記録用の静止画像や記録用の動画像を撮像する。また、撮像素子１２は、撮影待機時において所定の時間間隔ごとに観測用の画像（スルー画像）を撮影する。時系列に取得されたスルー画像のデータは、例えば、ＣＰＵ２０による各種の演算処理や、モニタ１８での動画表示（ライブビュー表示）に使用される。
【００１４】
Ａ／Ｄ変換部１３は、撮像素子１２から出力されたアナログの画像信号をＡ／Ｄ変換することでデジタルの画像信号を出力する。Ａ／Ｄ変換部１３の出力は第１メモリ１４に接続されている。
【００１５】
第１メモリ１４は、画像処理部１５による画像処理の前工程や後工程で画像データを一時的に記録するためのバッファメモリである。第１メモリ１４は、例えば、揮発性の記録媒体のＳＤＲＡＭ（Synchronous Dynamic Random Access Memory）である。また、本実施形態の第１メモリ１４は、後述の算出部３１によって算出されたＦＰＮ補正値を一時的に記録する。
【００１６】
画像処理部１５は、撮影時のデジタル画像信号に各種の画像処理（例えば、色補間、階調変換、ホワイトバランス補正、輪郭強調など）を施す。また、画像処理部１５は、画像処理後の静止画像や動画像のデータを所定の圧縮形式で圧縮する。さらに、画像処理部１５は、ＣＰＵ２０の指示により、スルー画像の画像信号や動画像の画像信号からライブビュー表示用の画像（ビュー画像）を生成する。
【００１７】
記録Ｉ／Ｆ１６は記録媒体３０を接続するためのコネクタを有している。そして、記録Ｉ／Ｆ１６は、コネクタに接続された記録媒体３０に対して静止画像または動画像のデータの書き込み／読み込みを実行する。上記の記録媒体３０は、ハードディスクや半導体メモリを内蔵したメモリカードなどである。なお、図１では記録媒体３０の一例としてメモリカードを図示する。
【００１８】
表示Ｉ／Ｆ１７は、ＣＰＵ２０の指示に基づいてモニタ１８の表示を制御する。
【００１９】
モニタ１８は、ＣＰＵ２０および表示Ｉ／Ｆ１７の指示に応じて各種画像を表示する。モニタ１８は、例えば液晶モニタである。モニタ１８には、撮影待機時にビュー画像が動画表示される。
【００２０】
操作部１９は、記録用の静止画像の撮像指示や、記録用の動画像の撮像指示を含む各種入力をユーザから受け付ける。
【００２１】
ＣＰＵ２０は、制御部の一例であって、第２メモリ２１に格納されたプログラムに従って、電子カメラ１の各部動作を制御することにより、動画像および静止画像を撮像させる。例えば、ＣＰＵ２０は、撮像素子１２の駆動制御、撮像時の自動露出（Auto Exposure）制御などを行う。また、ＣＰＵ２０は、撮像素子１２の電荷蓄積時間の制御により、撮像時の露光時間（シャッタ秒時）を調整する。また、ＣＰＵ２０は、例えば、撮像素子１２の増幅回路（不図示）でのゲイン調整などにより、ＩＳＯ感度に相当する撮像感度を制御する。
【００２２】
また、本実施形態のＣＰＵ２０は、算出部３１、補正部３２、動き検出部３３を有している。図１に示す算出部３１、補正部３２、動き検出部３３は、ハードウェア的には任意のプロセッサ、メモリ、その他の電子回路で実現でき、ソフトウェア的にはメモリにロードされたプログラムによって実現される。本実施形態では、算出部３１、補正部３２、動き検出部３３を、ＣＰＵ２０によって処理されるプログラムモジュールとして説明するが、これらの一部または全部は、ＡＳＩＣ（Application Specific Integrated Circuit）等であってもよい。
【００２３】
算出部３１は、撮像素子１２の固定パターンノイズの成分を示すＦＰＮ補正値（補正値の一例）を算出する。例えば、算出部３１は、ＣＭＯＳイメージセンサである撮像素子１２の画素の蓄積電荷をリセットした後に信号を読み出し、リセット後に読み出した信号を用いてＦＰＮ補正値を生成する。例えば、ＦＰＮ補正値は、撮像素子１２の各列の固定パターンノイズの値をそれぞれ示す情報である。
【００２４】
ここで、撮像素子１２の画素から出力される信号には、入射光による信号電荷の成分と、固定パターンノイズの成分とが含まれる。一方、撮像素子１２の画素をリセットした後に読み出される信号は、入射光による信号電荷の成分を含まないので、固定パターンノイズの成分を示す信号となる。例えば、ＣＭＯＳイメージセンサの場合、画素の垂直方向に設けられるカラム読出回路等のバラツキにより、固定パターンノイズは画像に縦筋状のノイズとして現れる。しかし、撮像素子１２の画素をリセットした後に読み出される信号を用いてＦＰＮ補正値を生成することで、電子カメラ１は撮像素子１２の出力から縦筋状の固定パターンノイズを列ごとに除去することが可能となる。
【００２５】
なお、上記の固定パターンノイズの大きさは、撮像素子１２の動作条件（例えば、撮像感度や撮像素子１２の温度）に応じて変化しうる。そのため、ＣＰＵ２０は、撮像素子１２の動作条件が変化するときに、算出部３１にＦＰＮ補正値を算出させる算出動作を指示する。
【００２６】
補正部３２は、撮像素子１２から出力される画像信号からＦＰＮ補正値を減算することで、撮像した画像から固定パターンノイズの成分を除去する。
【００２７】
動き検出部３３は、時系列の画像間での被写体の動きを検出する。例えば、動き検出部３３は、時系列に取得された２つの画像を対比し、画像間でのエッジのズレや画像間で画素の色成分に変化があるときに、２つの画像間で被写体に動きがあると判定する。また、例えば、動き検出部３３は、時系列に取得された２つの画像間で被写体の動きベクトルを求め、上記の動きベクトルを用いて被写体に動きがあるか否かを判定してもよい。上記の動きベクトルは、動き検出部３３が算出してもよく、画像処理部１５が動画像の圧縮時に算出した動きベクトルを動き検出部３３が用いてもよい。なお、動き検出部３３は、画像に含まれる被写体のうち、例えば、画面中央や焦点検出領域に対応する主要被写体を上記の動き検出の対象としてもよい。
【００２８】
第２メモリ２１は、電子カメラの各部動作を制御するプログラムを記録する不揮発性メモリである。なお、上記のプログラムによるＦＰＮ補正の動作例は後述する。
【００２９】
温度検出部２２は、撮像素子１２近傍の温度を検出する。温度検出部２２が検出する温度の情報は、ＣＰＵ２０に出力される。例えば、温度検出部２２は、撮像素子１２近傍の温度として、電子カメラ１内の温度を常時監視する温度センサである。
【００３０】
＜一の実施形態での動作例の説明＞
図２は、一の実施形態における電子カメラ１の動作例を示すフローチャートである。図２の動作例では、記録用の動画像の撮像中に、記録用の静止画像の取得指示が行われる場合を説明する。なお、図２の処理は、電子カメラ１の撮影モードの起動により開始される。
【００３１】
ステップＳ１０１：ＣＰＵ２０は、撮像素子１２を駆動させてスルー画像の取得を開始する。撮像素子１２は所定間隔毎に間引き読み出しでスルー画像の画像信号を取得する。画像処理部１５はスルー画像のデータに基づいてビュー画像を逐次生成する。そして、撮影待機時のモニタ１８にはビュー画像が動画表示される。したがって、ユーザはモニタ１８のビュー画像によって、撮影構図を決定するためのフレーミングを行うことができる。
【００３２】
ステップＳ１０２：ＣＰＵ２０は、操作部１９の操作により動画記録開始の指示を受け付けたか否かを判定する。ＣＰＵ２０が動画記録開始の指示を受け付けたと判定した場合（ＹＥＳ側）、ステップＳ１０３に処理が移行する。一方、ＣＰＵ２０が動画記録開始の指示を受け付けていないと判定した場合（ＮＯ側）、ＣＰＵ２０は、動画記録開始の指示を待機する。
【００３３】
ステップＳ１０３：ＣＰＵ２０は、動画像の記録開始に先立ち、ＦＰＮ補正値を算出させる算出動作を算出部３１に指示する。
【００３４】
例えば、ＣＰＵ２０は、撮像素子１２の撮像感度を設定した後、撮像素子１２の画素を一度リセットしてから、固定パターンノイズの成分を示す信号を撮像素子１２に出力させる。そして、算出部３１は、撮像素子１２から出力された固定パターンノイズの成分を示す信号を用いて、記録用の動画像の撮像時に使用するＦＰＮ補正値（第２の補正値の一例）を算出する。ＦＰＮ補正値の情報は、ＣＰＵ２０の制御により、第１メモリ１４に記録される。
【００３５】
ステップＳ１０４：ＣＰＵ２０は、撮像素子１２を駆動させて所定のフレームレートで動画像の撮像を行う。このとき、補正部３２は、第１メモリ１４に記録されたＦＰＮ補正値を用いて、撮像した画像の画像信号からＦＰＮ補正値を減算することで、動画像の各フレームについて固定パターンノイズの成分を除去する。そして、画像処理部１５は、固定パターンノイズの成分を除去した補正後の画像に対して、画像処理および圧縮処理を施す。圧縮処理後の動画像のデータは、ＣＰＵ２０の制御により、記録媒体３０に記録される。
【００３６】
なお、動画像の撮像中には、画像処理部１５は動画像のデータを用いて、ビュー画像を生成する。
【００３７】
ステップＳ１０５：ＣＰＵ２０は、動画像の撮像中に撮像素子１２の動作条件が変更されたか否かを判定する。例えば、ＣＰＵ２０は、撮像素子１２の撮像感度が変更された場合や、撮像素子１２近傍の温度に閾値以上の変化があったときに、撮像素子１２の動作条件が変更されたと判定する。
【００３８】
撮像素子１２の動作条件が変更された場合（ＹＥＳ側）、ステップＳ１０６に処理が移行する。一方、撮像素子１２の動作条件が変更されていない場合（ＮＯ側）、ステップＳ１０７に処理が移行する。
【００３９】
ステップＳ１０６：ＣＰＵ２０は、撮像素子１２の動作条件の変更に伴い、ＦＰＮ補正値を更新する動作を算出部３１に指示する。
【００４０】
例えば、ＣＰＵ２０は、撮像素子１２の現在の動作条件の下で、撮像素子１２の画素を一度リセットしてから、固定パターンノイズの成分を示す信号を撮像素子１２に出力させる。そして、算出部３１は、撮像素子１２から出力された固定パターンノイズの成分を示す信号を用いて、記録用の動画像の撮像時に使用するＦＰＮ補正値（第２の補正値の一例）を算出する。ステップＳ１０６で更新されたＦＰＮ補正値の情報は、ＣＰＵ２０の制御により、第１メモリ１４に記録される。ステップＳ１０６の処理後には、ステップＳ１０４に処理が移行する。
【００４１】
上記のＦＰＮ補正値の更新により、電子カメラ１は、撮像素子１２の動作条件が変化しても、固定パターンノイズが適切に除去された動画像を記録することができる。なお、ステップＳ１０６のＦＰＮ補正値の更新動作により、動画像のフレームに欠落が生じる場合には、画像処理部１５は前後のフレームを用いて欠落したフレームを補間すればよい。
【００４２】
ステップＳ１０７：ＣＰＵ２０は、操作部１９の操作により記録用の静止画像の撮像指示を受け付けたか否かを判定する。例えば、ＣＰＵ２０は、操作部１９に含まれるレリーズ釦が押圧されたときに、静止画像の撮像指示を受け付ける。
【００４３】
静止画像の撮像指示を受け付けた場合（ＹＥＳ側）、ステップＳ１０８に処理が移行する。一方、静止画像の撮像指示を受け付けていない場合（ＮＯ側）、ステップＳ１０４に処理が移行し、ＣＰＵ２０は動画像の撮像を継続する。
【００４４】
ステップＳ１０８：ＣＰＵ２０は、静止画像を撮像するときの撮像感度が動画像の撮像時と変化するか否かを判定する。両者の撮像感度が変化する場合（ＹＥＳ側）、ステップＳ１０９に処理が移行する。一方、両者の撮像感度が変化しない場合（ＮＯ側）、ステップＳ１１１に処理が移行する。
【００４５】
ステップＳ１０９：ＣＰＵ２０は、動き検出部３３の検出結果により、撮影する被写体に動きがあるか否かを判定する。被写体に動きがある場合（ＹＥＳ側）、ステップＳ１１０に処理が移行する。一方、被写体に動きがない場合（ＮＯ側）、ステップＳ１１３に処理が移行する。
【００４６】
ステップＳ１１０：この場合は、静止画像の撮像時に撮像素子１２の撮像感度が変更され、かつ撮影する被写体に動きがある場合に相当する。ステップＳ１１０の場合、撮像素子１２の動作条件に変化があるが、ＣＰＵ２０は、静止画像の動作条件に対応するＦＰＮ補正値の算出動作を算出部３１に行わせない。そして、ＣＰＵ２０は、動画像の撮像時に使用されたＦＰＮ補正値（ステップＳ１０３、Ｓ１０６）を用いて、静止画像に含まれる固定パターンノイズの成分を補正部３２に除去させる。
【００４７】
これにより、動画像の撮像中に静止画像の撮像指示があったときに、ＦＰＮ補正値の算出動作が省略されるので、ＦＰＮ補正値の算出動作を行う場合と比べて、静止画像の撮像タイミングの遅延が少なくなる。静止画像の撮像タイミングの遅延が少なくなる結果、電子カメラ１は、静止画像を撮像するときに、動きのある被写体の所望の状態を撮り逃がしにくくなる。
【００４８】
また、ステップＳ１１０でのＣＰＵ２０は、静止画像を撮像するときの撮像素子１２の撮像感度を動画像の撮像感度と一致させるとともに、例えば、撮像素子１２の電荷蓄積時間の制御や、不図示の絞りの制御によって、静止画像を撮像するときの露出を調整する。
【００４９】
例えば、ＣＰＵ２０は、撮像素子１２の撮像感度を低下させるときには、代わりに撮像素子１２の電荷蓄積時間を長くする制御、または絞りを開く制御により露出を調整する。例えば、ＣＰＵ２０は、撮像素子１２の撮像感度を増加させるときには、代わりに撮像素子１２の電荷蓄積時間を短くする制御、または絞りを絞る制御により露出を調整する。
【００５０】
これにより、電子カメラ１は、撮像素子１２の動作条件を動画像の撮像時と同じにしつつ、静止画像を適正な露出で撮像することができる。ステップＳ１１０の場合には、動画像の撮像時と静止画像の撮像時とで撮像素子１２の動作条件が同じになるため、補正部３２は、動画像の撮像時のＦＰＮ補正値を用いて静止画像から固定パターンノイズの成分を適切に除去できる。
【００５１】
なお、ステップＳ１１０の処理後は、ステップＳ１１４に処理が移行する。
【００５２】
ステップＳ１１１：ＣＰＵ２０は、撮像素子１２近傍の温度に閾値以上の変化があるか（例えば、撮像素子１２近傍の温度が以前より上昇しているか）否かを判定する。撮像素子１２近傍の温度に閾値以上の変化がある場合（ＹＥＳ側）、ステップＳ１１２に処理が移行する。一方、撮像素子１２近傍の温度に閾値以上の変化がない場合（ＮＯ側）、ステップＳ１１４に処理が移行する。
【００５３】
ここで、ステップＳ１１１のＮＯ側は、動画像の撮像時と静止画像の撮像時とで撮像素子１２の動作条件が同じになる場合に相当する。ステップＳ１１１のＮＯ側の場合、動画像の撮像時のＦＰＮ補正値で静止画像の固定パターンノイズを適切に除去できるので、算出部３１は、ＦＰＮ補正値の算出動作を行わない。
【００５４】
ステップＳ１１２：ＣＰＵ２０は、動き検出部３３の検出結果により、撮影する被写体に動きがあるか否かを判定する。被写体に動きがある場合（ＹＥＳ側）、ステップＳ１１４に処理が移行する。一方、被写体に動きがない場合（ＮＯ側）、ステップＳ１１３に処理が移行する。
【００５５】
ここで、ステップＳ１１２のＹＥＳ側は、撮像素子１２近傍の温度に閾値以上の変化があり、かつ撮影する被写体に動きがある場合に相当する。ステップＳ１１２のＹＥＳ側の場合、ＣＰＵ２０は、静止画像の動作条件に対応するＦＰＮ補正値の算出動作を算出部３１に行わせない。そして、ＣＰＵ２０は、動画像の撮像時に使用されたＦＰＮ補正値（ステップＳ１０３、Ｓ１０６）を用いて、静止画像に含まれる固定パターンノイズの成分を補正部３２に除去させる。
【００５６】
これにより、動画像の撮像中に静止画像の撮像指示があったときに、ＦＰＮ補正値の算出動作が省略されるので、ＦＰＮ補正値の算出動作を行う場合と比べて、静止画像の撮像タイミングの遅延が少なくなる。静止画像の撮像タイミングの遅延が少なくなる結果、電子カメラ１は、静止画像を撮像するときに、動きのある被写体の所望の状態を撮り逃がしにくくなる。
【００５７】
なお、ステップＳ１１２のＹＥＳ側の場合、撮像素子１２の動作条件が動画像の撮像時と静止画像の撮像時とで異なるため、動画像の撮像時のＦＰＮ補正値を用いると、静止画像には固定パターンノイズの影響が残る可能性がある。しかし、被写体に動きがあるため、撮像指示の時点から撮像タイミングの遅延無く静止画像を撮像する方が、ユーザの意図に沿った画像を得ることができる。
【００５８】
ステップＳ１１３：この場合は、動画像の撮像時と静止画像の撮像時とで撮像素子１２の動作条件が異なり、かつ被写体に動きがない場合（ステップＳ１０９のＮＯ側、ステップＳ１１２のＮＯ側）に相当する。ステップＳ１１３の場合、被写体に動きがないため、撮像指示の時点から撮像タイミングの遅延があっても大きな問題はない。そのため、ＣＰＵ２０は、撮像素子１２の動作条件の変更に伴い、ＦＰＮ補正値を算出する動作を算出部３１に指示する。
【００５９】
例えば、ＣＰＵ２０は、撮像素子１２の現在の動作条件の下で、撮像素子１２の画素を一度リセットしてから、固定パターンノイズの成分を示す信号を撮像素子１２に出力させる。そして、算出部３１は、撮像素子１２から出力された固定パターンノイズの成分を示す信号を用いて、記録用の静止画像の撮像時に使用するＦＰＮ補正値（第１の補正値の一例）を算出する。ステップＳ１１３で算出されたＦＰＮ補正値の情報は、ＣＰＵ２０の制御により、第１メモリ１４に記録される。
【００６０】
上記のＦＰＮ補正値により、電子カメラ１は、撮像素子１２の動作条件が変化しても、固定パターンノイズが適切に除去された静止画像を記録することができる。
【００６１】
ステップＳ１１４：ＣＰＵ２０は、撮像素子１２を駆動させて記録用の静止画像の撮像を行う。
【００６２】
このとき、補正部３２は、動画像の撮像時に使用されたＦＰＮ補正値（ステップＳ１０３、Ｓ１０６）または静止画像の撮像時に使用するＦＰＮ補正値（ステップＳ１１３）を用いて、撮像した静止画像の画像信号からＦＰＮ補正値を減算することで固定パターンノイズの成分を除去する。そして、画像処理部１５は、固定パターンノイズの成分を除去した補正後の画像に対して、画像処理および圧縮処理を施す。圧縮処理後の静止画像のデータは、ＣＰＵ２０の制御により、記録媒体３０に記録される。以上で本フローチャートの処理は終了する。
【００６３】
以下、本実施形態における電子カメラの作用効果を説明する。
【００６４】
一の実施形態の電子カメラ１は、被写体に動きがあるかないかに応じて（ステップＳ１０９、ステップＳ１１２）、静止画像の動作条件に対応するＦＰＮ補正値（ステップＳ１１３）および動画像の撮像時に使用されたＦＰＮ補正値（ステップＳ１０３、Ｓ１０６）のいずれかを用いて、静止画像に含まれる固定パターンノイズの成分を補正部３２に除去させる。
【００６５】
一の実施形態の電子カメラ１は、動画像の撮像中に静止画像の撮像指示があったとき（ステップＳ１０７のＹＥＳ側）に、撮像素子１２の動作条件が変更され、かつ撮影する被写体に動きがある場合（ステップＳ１０９のＹＥＳ側、ステップＳ１１２のＹＥＳ側）、静止画像の動作条件に対応するＦＰＮ補正値の算出動作を省略する。このとき、電子カメラ１は、動画像の撮像時に使用されたＦＰＮ補正値（ステップＳ１０３、Ｓ１０６）を用いて、静止画像に含まれる固定パターンノイズの成分を補正部３２に除去させる。
【００６６】
これにより、動画像の撮像中に静止画像の撮像指示があったときに、ＦＰＮ補正値の算出動作を行う場合（ステップＳ１１３）と比べて、静止画像の撮像タイミングの遅延が少なくなる。静止画像の撮像タイミングの遅延が少なくなる結果、電子カメラ１は、静止画像を撮像するときに、動きのある被写体の所望の状態を撮り逃がしにくくなる。
【００６７】
＜実施形態の補足事項＞
（１）一の実施形態では、動画記録開始の指示（ステップＳ１０２）を受け付けたときにＦＰＮ補正値を算出する例を説明した。しかし、本件開示の撮像装置は、スルー画像を取得するときにＦＰＮ補正値を取得してもよい。
【００６８】
（２）本件開示の撮像装置は、被写体の動きを検出するときに、スルー画像または動画像のデータから顔領域を検出し、検出した顔領域に対応する被写体領域に動きがあるか否かを判定してもよい。また、動き検出部３３は、顔検出の後、顔認識データの顔に対応する人物、画面中央にいる人物、顔の面積が一番大きい人物、又は被写体距離が最も近い人物等を主要被写体として、主要被写体に動きがあるか否かを判定してもよい。
【００６９】
（３）一の実施形態では、ステップＳ１０８の後にステップＳ１１１の処理を行うこととしたが、上記の処理の順番は入れ替えてもよい。
【００７０】
（４）一の実施形態では、ＣＭＯＳイメージセンサの固定パターンノイズを除去する例を説明した。しかし、本件開示の撮像装置は、ＣＣＤ（Charge Coupled Device）イメージセンサを用いる撮像装置にも適用できる。なお、ＣＣＤイメージセンサやＣＭＯＳイメージセンサの固定パターンノイズを取得する場合に、例えばメカシャッタで撮像面を遮光して固定パターンノイズを示す信号を取得するようにしてもよい。
【００７１】
（５）本件開示の撮像装置は、レンズ一体型の電子カメラであってもよく、レンズ交換式の電子カメラであってもよい。また、本件開示の撮像装置は、例えば、携帯電子機器（スマートフォン、携帯電話、タブレットコンピュータ等）に組み込まれるカメラモジュールであってもよく、例えば、車両に搭載されるドライブレコーダなどであってもよい。
【００７２】
以上の詳細な説明により、実施形態の特徴点および利点は明らかになるであろう。これは、特許請求の範囲が、その精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物によることも可能である。
【符号の説明】
【００７３】
１…電子カメラ、１１…撮像レンズ、１２…撮像素子、１３…Ａ／Ｄ変換部、１４…第１メモリ、１５…画像処理部、１６…記録Ｉ／Ｆ、１７…表示Ｉ／Ｆ、１８…モニタ、１９…操作部、２０…ＣＰＵ、２１…第２メモリ、２２…温度検出部、２３…システムバス、３０…記録媒体、３１…検出部、３２…補正部、３３…動き検出部
【図１】
2015050539.tif 000003
【図２】
2015050539.tif 000004